(57)【要約】      （修正有）【課題】特色を含む２色以上を刷り重ねて印刷する印刷本機による色再現の階調を、校正出力機により良好に表現することができる色変換方法等を提供する。【解決手段】特色を含む２色以上を刷り重ねて印刷する印刷本機による色再現を、校正出力機にて模擬出力する色変換方法において、印刷本機の第ｎ（ｎは１以上の自然数）の色に対応する色であって、校正出力機にて再現される色の信号値がＣｎ、Ｍｎ、Ｙｎ、Ｋｎである場合に、模擬出力する印刷物の信号値として、以下の式（１）を満たす信号値Ｃ、Ｍ、Ｙ、Ｋを取得し、校正出力機により、取得された信号値に基づいて印刷物の模擬出力を行うことを特徴とする。  Ｃ＝１−（１−Ｃ１）×（１−Ｃ２）×・・・×（１−Ｃｎ）  ・・・（１）、  Ｍ、Ｙ、Ｋについても同様に算出する。【選択図】図２
2007311991.tif 000002
【特許請求の範囲】
【請求項１】
特色を含む２色以上を刷り重ねて印刷する印刷本機による色再現を、校正出力機にて模擬出力する色変換方法において、
前記印刷本機の第ｎ（ｎは１以上の自然数）の色に対応する色であって、前記校正出力機にて再現される前記色の信号値がＣｎ、Ｍｎ、Ｙｎ、Ｋｎである場合に、前記校正出力機にて模擬出力する印刷物の信号値として、夫々以下の式（１）〜（４）を満たす信号値Ｃ、Ｍ、Ｙ、Ｋを取得する取得工程と、
前記校正出力機により、前記取得工程にて取得された前記信号値Ｃ、Ｍ、Ｙ、Ｋに基づいて前記印刷物の模擬出力を行う模擬出力工程と、
を有することを特徴とする色変換方法。
Ｃ＝１−（１−Ｃ１）×（１−Ｃ２）×・・・×（１−Ｃｎ）  ・・・（１）
Ｍ＝１−（１−Ｍ１）×（１−Ｍ２）×・・・×（１−Ｍｎ）  ・・・（２）
Ｙ＝１−（１−Ｙ１）×（１−Ｙ２）×・・・×（１−Ｙｎ）  ・・・（３）
Ｋ＝１−（１−Ｋ１）×（１−Ｋ２）×・・・×（１−Ｋｎ）  ・・・（４）
【請求項２】
請求項１に記載の色変換方法において、
前記印刷本機の第ｎの色を、前記信号値Ｃｎ、Ｍｎ、Ｙｎ、Ｋｎに変換するための色変換対応を記憶する記憶工程を有し、
前記取得工程は、前記記憶工程にて記憶された前記色変換対応を参照して、前記印刷本機の第ｎの色に対応する前記信号値Ｃｎ、Ｍｎ、Ｙｎ、Ｋｎに変換する変換工程を有することを特徴とする色変換方法。
【請求項３】
請求項２に記載の色変換方法において、
前記印刷本機により刷り重ね印刷される色に、シアンＣｆ、マゼンタＭｆ、イエローＹｆ及びブラックＫｆのプロセスカラーを含む場合には、前記変換工程は、当該シアンＣｆ、マゼンタＭｆ、イエローＹｆ及びブラックＫｆの組からなる当該プロセスカラーを１色とし、前記印刷本機の第ｎの色が前記プロセスカラーである場合には、当該プロセスカラーに対応する前記信号値Ｃｎ、Ｍｎ、Ｙｎ、Ｋｎに変換することを特徴とする色変換方法。
【請求項４】
特色を含む２色以上を刷り重ねて印刷する印刷本機による色再現を、校正出力機にて模擬出力する色変換方法において、
前記印刷本機の第ｎ（ｎは１以上の自然数）の色に対応する信号値がＣｎ、Ｍｎ、Ｙｎ、Ｋｎである場合に、前記校正出力機にて模擬出力する印刷物の信号値として、夫々以下の式（１）〜（４）を満たす信号値Ｃ、Ｍ、Ｙ、Ｋを取得する取得工程と、
前記取得工程にて取得された前記信号値Ｃ、Ｍ、Ｙ、Ｋを、前記校正出力機にて再現可能な信号値に変換した後に、当該変換後の信号値に基づいて前記印刷物の模擬出力を行う模擬出力工程と、
を有することを特徴とする色変換方法。
Ｃ＝１−（１−Ｃ１）×（１−Ｃ２）×・・・×（１−Ｃｎ）  ・・・（１）
Ｍ＝１−（１−Ｍ１）×（１−Ｍ２）×・・・×（１−Ｍｎ）  ・・・（２）
Ｙ＝１−（１−Ｙ１）×（１−Ｙ２）×・・・×（１−Ｙｎ）  ・・・（３）
Ｋ＝１−（１−Ｋ１）×（１−Ｋ２）×・・・×（１−Ｋｎ）  ・・・（４）
【請求項５】
請求項４に記載の色変換方法において、
取得された前記信号値Ｃ、Ｍ、Ｙ、Ｋを、前記校正出力機にて再現可能な信号値に変換するための色変換対応を記憶する記憶工程を有し、
前記模擬出力手段は、前記記憶手段に記憶された前記色変換対応を参照して、前記信号値Ｃ、Ｍ、Ｙ、Ｋを、前記校正出力機にて再現可能な信号値に変換することを特徴とする色変換方法。
【請求項６】
請求項５に記載の色変換方法において、
前記印刷本機により刷り重ね印刷される色に、シアンＣｆ、マゼンタＭｆ、イエローＹｆ及びブラックＫｆのプロセスカラーを含む場合には、前記取得工程は、当該シアンＣｆ、マゼンタＭｆ、イエローＹｆ及びブラックＫｆの組からなる当該プロセスカラーを１色とし、当該Ｃｆ、Ｍｆ、Ｙｆ及びＫｆを前記信号値Ｃｎ、Ｍｎ、Ｙｎ、Ｋｎとすることを特徴とする色変換方法。
【請求項７】
特色を含む２色以上を刷り重ねて印刷する印刷本機による色再現を、校正出力機にて模擬出力する色変換装置において、
前記印刷本機の第ｎ（ｎは１以上の自然数）の色に対応する色であって、前記校正出力機にて再現される前記色の信号値がＣｎ、Ｍｎ、Ｙｎ、Ｋｎである場合に、前記校正出力機にて模擬出力する印刷物の信号値として、夫々以下の式（１）〜（４）を満たす信号値Ｃ、Ｍ、Ｙ、Ｋを取得する取得手段と、
前記校正出力機により、前記取得手段にて取得された前記信号値Ｃ、Ｍ、Ｙ、Ｋに基づいて前記印刷物の模擬出力を行う模擬出力手段と、
を有することを特徴とする色変換装置。
Ｃ＝１−（１−Ｃ１）×（１−Ｃ２）×・・・×（１−Ｃｎ）  ・・・（１）
Ｍ＝１−（１−Ｍ１）×（１−Ｍ２）×・・・×（１−Ｍｎ）  ・・・（２）
Ｙ＝１−（１−Ｙ１）×（１−Ｙ２）×・・・×（１−Ｙｎ）  ・・・（３）
Ｋ＝１−（１−Ｋ１）×（１−Ｋ２）×・・・×（１−Ｋｎ）  ・・・（４）
【請求項８】
請求項７に記載の色変換装置において、
前記印刷本機の第ｎの色を、前記信号値Ｃｎ、Ｍｎ、Ｙｎ、Ｋｎに変換するための色変換対応を記憶する記憶手段を有し、
前記取得手段は、前記記憶された前記色変換対応を参照して、前記印刷本機の第ｎの色に対応する前記信号値Ｃｎ、Ｍｎ、Ｙｎ、Ｋｎに変換する変換手段を有することを特徴とする色変換装置。
【請求項９】
請求項８に記載の色変換装置において、
前記印刷本機により刷り重ね印刷される色に、シアンＣｆ、マゼンタＭｆ、イエローＹｆ及びブラックＫｆのプロセスカラーを含む場合には、前記変換手段は、当該シアンＣｆ、マゼンタＭｆ、イエローＹｆ及びブラックＫｆの組からなる当該プロセスカラーを１色とし、前記印刷本機の第ｎの色が前記プロセスカラーである場合には、当該プロセスカラーに対応する前記信号値Ｃｎ、Ｍｎ、Ｙｎ、Ｋｎに変換することを特徴とする色変換装置。
【請求項１０】
特色を含む２色以上を刷り重ねて印刷する印刷本機による色再現を、校正出力機にて模擬出力する色変換装置において、
前記印刷本機の第ｎ（ｎは１以上の自然数）の色に対応する信号値がＣｎ、Ｍｎ、Ｙｎ、Ｋｎである場合に、前記校正出力機にて模擬出力する印刷物の信号値として、夫々以下の式（１）〜（４）を満たす信号値Ｃ、Ｍ、Ｙ、Ｋを取得する取得手段と、
前記取得手段にて取得された前記信号値Ｃ、Ｍ、Ｙ、Ｋを、前記校正出力機にて再現可能な信号値に変換した後に、当該変換後の信号値に基づいて前記印刷物の模擬出力を行う模擬出力手段と、
を有することを特徴とする色変換装置。
Ｃ＝１−（１−Ｃ１）×（１−Ｃ２）×・・・×（１−Ｃｎ）  ・・・（１）
Ｍ＝１−（１−Ｍ１）×（１−Ｍ２）×・・・×（１−Ｍｎ）  ・・・（２）
Ｙ＝１−（１−Ｙ１）×（１−Ｙ２）×・・・×（１−Ｙｎ）  ・・・（３）
Ｋ＝１−（１−Ｋ１）×（１−Ｋ２）×・・・×（１−Ｋｎ）  ・・・（４）
【請求項１１】
請求項１０に記載の色変換装置において、
取得された前記信号値Ｃ、Ｍ、Ｙ、Ｋを、前記校正出力機にて再現可能な信号値に変換するための色変換対応を記憶する記憶手段を有し、
前記模擬出力手段は、前記記憶手段に記憶された前記色変換対応を参照して、前記信号値Ｃ、Ｍ、Ｙ、Ｋを、前記校正出力機にて再現可能な信号値に変換することを特徴とする色変換装置。
【請求項１２】
請求項１１に記載の色変換装置において、
前記印刷本機により刷り重ね印刷される色に、シアンＣｆ、マゼンタＭｆ、イエローＹｆ及びブラックＫｆのプロセスカラーを含む場合には、前記取得手段は、当該シアンＣｆ、マゼンタＭｆ、イエローＹｆ及びブラックＫｆの組からなる当該プロセスカラーを１色とし、当該Ｃｆ、Ｍｆ、Ｙｆ及びＫｆを前記信号値Ｃｎ、Ｍｎ、Ｙｎ、Ｋｎとすることを特徴とする色変換装置。
【請求項１３】
コンピュータを、請求項７乃至１２のいずれか一項に記載の色変換装置として機能させることを特徴とする色変換プログラム。
【発明の詳細な説明】
【技術分野】
【０００１】
本発明は、印刷本機による色再現を校正出力機において模擬出力するための色変換の技術分野に属し、特に、特色を含む２色以上を刷り重ねて印刷する印刷本機による色再現を、校正出力機を用いて表現する際の色変換方法等の技術分野に属する。
【背景技術】
【０００２】
プロセスカラーは、黄（Ｙ；Yellow）、赤（Ｍ；Magenta）、藍（Ｃ；Cyan）、墨（Ｋ；Black）の４色の色材で構成される。多くのカラー印刷物はこのプロセスカラーのインキを用いて印刷が行われるが、一部の印刷物は、金や白などの特色インキを刷り重ねにより印刷が行われる。たとえば、印刷物において特別な色が広い面積を占める場合、高い印刷効果が要求される場合、プロセスインキだけでは表現できない場合、等である。特に、多くの軟包装材料やカートン材料への印刷においてはプロセスインキで印刷する部分と特色インキで印刷する部分の両方が含まれる。
【０００３】
印刷製品は一般に、印刷本機により印刷物を印刷する（本機刷）前に、校正出力機で校正印刷物を印刷する（校正刷）ことが行われる。校正印刷物にて、文字絵柄の内容や配置が適正であるか、更には、色再現性が適正であるか（色校正）、等が前もって確認される。校正刷の際に使用される校正出力機は、従来、平台校正機が使用されてきたが、近年は、ディジタルデータを入力して直接カラー印刷物を出力できるＤＤＣＰ（Direct Digital Color Printer） が主流となりつつある。ＤＤＣＰでは通常、ルックアップテーブル（ＬＵＴ）によりデータ変換したデータを用いて模擬出力が行われる。しかし、特色を含むデータの変換に対しては、無数に存在する特色全ての組み合わせパターンのＬＵＴデータを管理しなければならず、非現実的である。そのため、特色を含むデータの変換は、特色のベタの色情報のみを管理し、ベタの色情報から中間調や刷り重ねを演算して予測することにより行なう手法がある。例えば、本願特許出願人により、特色のベタの色情報から中間調の色を予測する技術が開示されている（特許文献１）。
【０００４】
一方、特色の画素値（スカラー）を、たとえば印刷本機のプロセスカラーの４色信号値（ベクトル）で表現して、その信号値を画素が対応するプロセスインキの信号値に加算（ベクトルの加算）を行った信号値に基づいて、上記のルックアップテーブルが参照され校正印刷が行われる。この場合には特色は印刷本機で表現可能な範囲の色に制限される。そのため、特色について校正印刷で表現可能な範囲に拡大する方法がとられる場合もある。（例えば、特許文献２乃至５参照）
【０００５】
ところが、上記のように特色とプロセスカラーを単純に加算する方法では印刷本機の色再現からかけ離れたものとなる場合がある。たとえば、プロセスインキ等により下の色の印刷が行われており、その上に金色の特色インキによる印刷（金箔の箔押しも同様）が行われている場合がある。金色の特色インキは刷り重ねにおいて下の色に影響されない不透過色である。そのため、単純に色を加算する方法では金色が別の異なった色として再現されるという問題がある。このような問題に鑑み、プロセスインキや特色インキを刷り重ねる順番とそれらのインキの透過度（下の色が影響する程度）とが考慮された色校正方法等に関する技術が本願出願人により特許出願（特許文献６）されている。
【特許文献１】特開２００２−４６３０２号公報
【特許文献２】特開２００２−１１８７６４号公報
【特許文献３】特開平１１−３４１２９６号公報
【特許文献４】特開平９−９８２９９８号公報
【特許文献５】特開平７−２３６０６９号公報
【特許文献６】特開平１１−２９６６６４号公報
【発明の開示】
【発明が解決しようとする課題】
【０００６】
しかし、特許文献６に記載の手法を用いても、特色の隠蔽度が小さい（透過度が高い）場合や、複数の特色が刷り重ねされる場合には、印刷物の各色に対応する校正出力機のプロセスカラーの信号値が比較的大きな値となるため、特色に対応する校正出力機の信号値と加算（ベクトルの加算）して算出されるプロセスカラーの値が上限値である１００％を超えてしまうことがある。このような場合には、算出結果を全て上限値１００％として取得する。
【０００７】
例えば、画素Ｉのプロセスカラーの信号値（Ｃｐ、Ｍｐ、Ｙｐ、Ｋｐ）が（７０％、３０％、４０％、１０％）であり、特色に対応する校正出力機の信号値（Ｃｓ、Ｍｓ、Ｙｓ、Ｋｓ）が（３０％、９０％、６０％、０％）である場合、これらを算出して取得されるプロセスカラーの値（Ｃ、Ｍ、Ｙ、Ｋ）は（１００％、１００％、１００％、１０％）となる。そして、特色に対応する色の信号値（Ｙｓ）が９０％であり、その他の信号値が画素Ｉと同一であるような画素ＩＩの場合にも、加算により取得されるプロセスカラーの値（Ｃ、Ｍ、Ｙ、Ｋ）は、画素Ｉと同一（１００％、１００％、１００％、１０％）となってしまう。
【０００８】
このように、校正出力機による模擬出力（印刷）を行なうと、印刷本機の色再現では本来存在しない階調のつぶれや、トーンジャンプが発生するという問題が生じていた。
【０００９】
本発明は、このような問題に鑑みなされたものであり、特色を含む２色以上を刷り重ねて印刷する印刷本機による色再現の階調を、校正出力機により良好に表現することができる色変換方法等を提供することを目的とする。
【課題を解決するための手段】
【００１０】
上記課題を解決するための請求項１に記載の発明は、特色を含む２色以上を刷り重ねて印刷する印刷本機による色再現を、校正出力機にて模擬出力する色変換方法において、前記印刷本機の第ｎ（ｎは１以上の自然数）の色に対応する色であって、前記校正出力機にて再現される前記色の信号値がＣｎ、Ｍｎ、Ｙｎ、Ｋｎである場合に、前記校正出力機にて模擬出力する印刷物の信号値として、夫々以下の式（１）〜（４）を満たす信号値Ｃ、Ｍ、Ｙ、Ｋを取得する取得工程と、前記校正出力機により、前記取得工程にて取得された前記信号値Ｃ、Ｍ、Ｙ、Ｋに基づいて前記印刷物の模擬出力を行う模擬出力工程と、を有することを特徴とする色変換方法である。
【００１１】
Ｃ＝１−（１−Ｃ１）×（１−Ｃ２）×・・・×（１−Ｃｎ）  ・・・（１）
Ｍ＝１−（１−Ｍ１）×（１−Ｍ２）×・・・×（１−Ｍｎ）  ・・・（２）
Ｙ＝１−（１−Ｙ１）×（１−Ｙ２）×・・・×（１−Ｙｎ）  ・・・（３）
Ｋ＝１−（１−Ｋ１）×（１−Ｋ２）×・・・×（１−Ｋｎ）  ・・・（４）
これによれば、特色を含む２色以上を刷り重ねて印刷する印刷本機による色再現の階調を、校正出力機を用いてより良好に表現することができる。
【００１２】
上記課題を解決するための請求項２に記載の発明は、請求項１に記載の色変換方法において、前記印刷本機の第ｎの色を、前記信号値Ｃｎ、Ｍｎ、Ｙｎ、Ｋｎに変換するための色変換対応を記憶する記憶工程を有し、前記取得工程は、前記記憶工程にて記憶された前記色変換対応を参照して、前記印刷本機の第ｎの色に対応する前記信号値Ｃｎ、Ｍｎ、Ｙｎ、Ｋｎに変換する変換工程を有することを特徴とする色変換方法である。
【００１３】
これによれば、印刷本機の第ｎの色に対応する色を、校正出力機で再現可能な信号値Ｃｎ、Ｍｎ、Ｙｎ、Ｋｎに確実に変換できる。
【００１４】
上記課題を解決するための請求項３に記載の発明は、請求項２に記載の色変換方法において、前記印刷本機により刷り重ね印刷される色に、シアンＣｆ、マゼンタＭｆ、イエローＹｆ及びブラックＫｆのプロセスカラーを含む場合には、前記変換工程は、当該シアンＣｆ、マゼンタＭｆ、イエローＹｆ及びブラックＫｆの組からなる当該プロセスカラーを１色とし、前記印刷本機の第ｎの色が前記プロセスカラーである場合には、当該プロセスカラーに対応する前記信号値Ｃｎ、Ｍｎ、Ｙｎ、Ｋｎに変換することを特徴とする色変換方法である。
【００１５】
これによれば、印刷本機により刷り重ね印刷される色に、プロセスカラーを含む場合であっても、印刷本機による色再現の階調を、校正出力機を用いて良好に表現することができる。
【００１６】
上記課題を解決するための請求項４に記載の発明は、特色を含む２色以上を刷り重ねて印刷する印刷本機による色再現を、校正出力機にて模擬出力する色変換方法において、前記印刷本機の第ｎ（ｎは１以上の自然数）の色に対応する信号値がＣｎ、Ｍｎ、Ｙｎ、Ｋｎである場合に、前記校正出力機にて模擬出力する印刷物の信号値として、夫々以下の式（１）〜（４）を満たす信号値Ｃ、Ｍ、Ｙ、Ｋを取得する取得工程と、前記取得工程にて取得された前記信号値Ｃ、Ｍ、Ｙ、Ｋを、前記校正出力機にて再現可能な信号値に変換した後に、当該変換後の信号値に基づいて前記印刷物の模擬出力を行う模擬出力工程と、を有することを特徴とする色変換方法である。
【００１７】
Ｃ＝１−（１−Ｃ１）×（１−Ｃ２）×・・・×（１−Ｃｎ）  ・・・（１）
Ｍ＝１−（１−Ｍ１）×（１−Ｍ２）×・・・×（１−Ｍｎ）  ・・・（２）
Ｙ＝１−（１−Ｙ１）×（１−Ｙ２）×・・・×（１−Ｙｎ）  ・・・（３）
Ｋ＝１−（１−Ｋ１）×（１−Ｋ２）×・・・×（１−Ｋｎ）  ・・・（４）
上記課題を解決するための請求項５に記載の発明は、請求項４に記載の色変換方法において、取得された前記信号値Ｃ、Ｍ、Ｙ、Ｋを、前記校正出力機にて再現可能な信号値に変換するための色変換対応を記憶する記憶工程を有し、前記模擬出力手段は、前記記憶手段に記憶された前記色変換対応を参照して、前記信号値Ｃ、Ｍ、Ｙ、Ｋを、前記校正出力機にて再現可能な信号値に変換することを特徴とする色変換方法である。
【００１８】
上記課題を解決するための請求項６に記載の発明は、請求項５に記載の色変換方法において、前記印刷本機により刷り重ね印刷される色に、シアンＣｆ、マゼンタＭｆ、イエローＹｆ及びブラックＫｆのプロセスカラーを含む場合には、前記取得工程は、当該シアンＣｆ、マゼンタＭｆ、イエローＹｆ及びブラックＫｆの組からなる当該プロセスカラーを１色とし、当該Ｃｆ、Ｍｆ、Ｙｆ及びＫｆを前記信号値Ｃｎ、Ｍｎ、Ｙｎ、Ｋｎとすることを特徴とする色変換方法である。
【発明の効果】
【００１９】
本発明によれば、特色を含む２色以上を刷り重ねて印刷する印刷本機による色再現の階調を、校正出力機を用いてより良好に表現可能な色変換方法等を提供することができる。
【発明を実施するための最良の形態】
【００２０】
以下、本発明の色変換方法および装置の好適な実施の形態を、添付図面に基づいて説明する。本実施形態は、大型の業務用印刷装置などの印刷本機による色再現を、ＤＤＣＰ（Direct Digital Color Printer）を構成する校正出力機の一例としてのプリンタ２０にて模擬出力（印刷）するコンピュータ１に対して、本発明の色変換装置を適用した例を示す。
【００２１】
＜コンピュータ１の構成及び機能＞
先ず、図１乃至図５を参照して、コンピュータ１の構成及び機能を説明する。
【００２２】
図１は、コンピュータ１とプリンタ２０の外観構成図であり、図２は、コンピュータ１の概略構成例を示すブロック図である。
【００２３】
図２に示すように、コンピュータ１は、色再現の目標（模擬対象）となる印刷本機のプロファイル、プリンタ２０のプロファイル（本発明の色変換対応の一例）を含む各種データ及びプログラム等を記憶（格納）するＨＤＤ(Hard Disc Drive)等から構成された記憶部１１、ＣＲＴカラーディスプレイや液晶表示モニタ等により構成された表示部１２、プリンタ２０と接続するための外部機器接続部１３、操作者（オペレータ）からの操作指示を入力し、その指示信号を演算制御部１５に出力する入力部１４（例えば、キーボード、マウス等）、及び、演算機能を有するＣＰＵ（Cetral Processing Unit）、作業用ＲＡＭ(Random-Access Memory)、各種データ及びプログラム（本発明の色変換プログラムを含む）を記憶するＲＯＭ(Read-Only Memory)等から構成されたコンピュータとしての演算制御部１５、を備えて構成され、これら各構成要素はバス１６を介して相互に接続されている。
【００２４】
演算制御部１５は、例えば、他の製版システムで作成され、図示しない通信部からＬＡＮ（Local Area Network）を介して取り込まれた製版データの分版処理を行なって、分版データを生成する。なお、製版データの取り込みから分版データの生成に至る工程は、従来公知の手法（例えば、本願出願人により出願された特開平１１−２９６６６４号参照）により既に終了しており、これら製版データ及び分版データが記憶部１１に格納されているものとする。
【００２５】
製版データは、写真等の連続調データと、ロゴ、イラスト、模様等の線画データの両方又はいずれか一方のデータで構成され、当該製版データに基づいて印刷された画像は、黄（Ｙ；Yellow）、赤（Ｍ；Magenta）、藍（Ｃ；Cyan）、墨（Ｋ；Black）のプロセスカラー、及び金、銀、白などの特色の刷り重ねにより表現される。
【００２６】
分版データは、プロセスカラーのＹ版、Ｍ版、Ｃ版、Ｋ版、及び、特色版の各版の刷り重ねの順番と、透過度（下の色が影響する程度）の情報を含む５つの版データにより構成される。透過度は、例えば、特色版が５０％、ＣＭＹＫ版が夫々０％等の値を有する。また、特色版の版データは、特色ベタＬ*ａ*ｂ*値の情報（例えば、Ｌ*ａ*ｂ*＝40、50、12）も含む。このような、各版の透過度及び特色ベタＬ*ａ*ｂ*値の情報は、特色を模擬するプロセスカラー（Ｃ値Ｍ値Ｙ値Ｋ値）を得る特色演算処理に利用する。なお、以下の説明において、「特色を模擬するプロセスカラー」を、特色に対応する４色信号値（Ｃｓ、Ｍｓ、Ｙｓ、Ｋｓ）と言う。
【００２７】
この特色に対応する信号値は、校正出力機として機能するプリンタ２０で再現可能な範囲の値でなければならない。なお、特色に対応する信号値を取得する手法の一例として、本願出願人により特許出願（特開２００２‐４６３０２）された、特色ベタＬ*ａ*ｂ*値と均等色空間色度値から、中間調色度値を予測する方法を用いることができる。この際、記憶部１１に記憶した印刷本機のプロファイル（図３（Ａ））及びプリンタ２０のプロファイル（図３（Ｂ））を参照する。また、特色に対応する信号値を取得する手法は、これに限らず他の手法を用いてもよく、その際、透過度及び特色ベタＬ*ａ*ｂ*値の情報が不要である場合には、分版データにこれら情報を含まずともよい。
【００２８】
更に、特色に限らず、上記プロセスカラーについても、プリンタ２０で再現可能な色で、印刷本機の色を模擬出力しなければならない。そのため、プロセスカラー（Ｃ版、Ｍ版、Ｙ版、Ｋ版の各ＣＭＹＫ値であるＣｆ、Ｍｆ、Ｙｆ、Ｋｆに対応する、プリンタ２０で再現可能な信号値（Ｃｐ、Ｍｐ、Ｙｐ、Ｋｐ）を、印刷本機のプロファイル（図３（Ａ））及びプリンタ２０のプロファイル（図３（Ｂ））を参照して取得する。
【００２９】
なお、これら印刷本機のプロファイル及びプリンタ２０のプロファイルに替えて、印刷本機とプリンタ２０のデバイスリンクプロファイル（図４）を本発明の色変換対応として用いてもよい。
【００３０】
そして、分版データにかかる色に対応する色の信号値（（Ｃｐ、Ｍｐ、Ｙｐ、Ｋｐ）又は（Ｃｓ、Ｍｓ、Ｙｓ、Ｋｓ））を用いて、式（１）〜（４）を満たす信号値Ｃ、Ｍ、Ｙ、Ｋを取得し、当該信号値Ｃ、Ｍ、Ｙ、Ｋが校正データとして外部機器接続部１３を介してプリンタ２０へと出力され、校正データに基づくカラープリントが出力される。
【００３１】
Ｃ＝１−（１−Ｃｐ）×（１−Ｃｓ）・・・（１）
Ｍ＝１−（１−Ｍｐ）×（１−Ｍｓ）・・・（２）
Ｙ＝１−（１−Ｙｐ）×（１−Ｙｓ）・・・（３）
Ｋ＝１−（１−Ｋｐ）×（１−Ｋｓ）・・・（４）
図５は、信号値ＣｐとＣｓを用いて取得される信号値Ｃを、模式的に表現した図である。信号値Ｃｐを横軸とし、Ｃｓを縦軸とすると、式（１）を用いて取得される信号値Ｃは、図５における非印字部（空白部分）の面積として表すことができる。
【００３２】
製版データが、特色Ａと特色Ｂの分版データからなる場合には、特色Ａに対応する信号値（Ｃｓ（Ａ）、Ｍｓ（Ａ）、Ｙｓ（Ａ）、Ｋｓ（Ａ））と、特色Ｂに対応する信号値（Ｃｓ（Ｂ）、Ｍｓ（Ｂ）、Ｙｓ（Ｂ）、Ｋｓ（Ｂ））を用いて、式（５）〜（８）を満たす信号値Ｃ、Ｍ、Ｙ、Ｋが取得される。
【００３３】
Ｃ＝１−（１−Ｃｓ（Ａ））×（１−Ｃｓ（Ｂ））・・・（５）
Ｍ＝１−（１−Ｍｓ（Ａ））×（１−Ｍｓ（Ｂ））・・・（６）
Ｙ＝１−（１−Ｙｓ（Ａ））×（１−Ｙｓ（Ｂ））・・・（７）
Ｋ＝１−（１−Ｋｓ（Ａ））×（１−Ｋｓ（Ｂ））・・・（８）
以上をまとめると、製版データが、ｎ色の分版データから成る場合（プロセスカラーは１組（Ｃｆ、Ｍｆ、Ｙｆ、Ｋｆ）で１色）には、第ｎの色に対応する色の信号値（Ｃｎ、Ｍｎ、Ｙｎ、Ｋｎ）を用いて、式（９）〜（１２）を満たす信号値Ｃ、Ｍ、Ｙ、Ｋが取得される。なお、ｎは１以上の自然数である。
【００３４】
Ｃ＝１−（１−Ｃ１）×（１−Ｃ２）×・・・×（１−Ｃｎ）  ・・・（９）
Ｍ＝１−（１−Ｍ１）×（１−Ｍ２）×・・・×（１−Ｍｎ）  ・・・（１０）
Ｙ＝１−（１−Ｙ１）×（１−Ｙ２）×・・・×（１−Ｙｎ）  ・・・（１１）
Ｋ＝１−（１−Ｋ１）×（１−Ｋ２）×・・・×（１−Ｋｎ）  ・・・（１２）
【００３５】
＜色変換処理＞
次に、図６〜図８を参照して、本実施形態に係る色変換処理の手順について説明する。色変換処理は、コンピュータ１の演算制御部１５の制御に基づいて色変換プログラムが実行されることにより処理が行なわれる。
【００３６】
図６〜図８は、それぞれ実施例１〜３にかかる色変換処理を示すフローチャートであり、操作者（オペレータ）が入力部１４を操作して、記憶部１１に格納された分版データに対して色変換処理の開始を指示することにより処理を開始してもよく、或いは、ＬＡＮを介してコンピュータ１内に取り込まれた製版データに対して分版処理を施し、分版データを生成し、当該分版データを記憶部１１に格納したことを、演算制御部１５が確認したことをキーとして処理を開始するよう構成してもよい。
【００３７】
実施例１
初めに、特色Ａとプロセスカラーの２色を刷り重ねて印刷する印刷本機の色再現を、プリンタ２０にて模擬出力する際の色変換処理について、図６のフローチャートを用いて説明する。
【００３８】
先ず、印刷本機の画素データを取得する（ステップＳ１）。具体的には、記憶部１１に記憶された印刷本機の分版データから、プロセスカラーであるＣ版、Ｍ版、Ｙ版、Ｋ版の各ＣＭＹＫ値（Ｃｆ、Ｍｆ、Ｙｆ、Ｋｆ）と、特色Ａの値Ｖを取得する。
【００３９】
そして、プロセスカラー及び特色Ａを、プリンタ２０で再現可能な信号値に変換する（ステップＳ２）。つまり、プロセスカラー（Ｃｆ、Ｍｆ、Ｙｆ、Ｋｆ）については、記憶部１１に記憶した印刷本機のプロファイル（図３（Ａ））及びプリンタ２０のプロファイル（図３（Ｂ））を参照して、プリンタ２０で再現可能な信号値（Ｃｐ、Ｍｐ、Ｙｐ、Ｋｐ）に変換し、特色Ａについては、特色演算処理を行ない、特色Ａに対応する色であって、プリンタ２０で再現可能な信号値（Ｃｓ、Ｍｓ、Ｙｓ、Ｋｓ）に変換する。
【００４０】
続いて、変換後の信号値（Ｃｐ、Ｍｐ、Ｙｐ、Ｋｐ）、（Ｃｓ、Ｍｓ、Ｙｓ、Ｋｓ）を用いて、上述した式（１）〜（４）を満たす信号値Ｃ、Ｍ、Ｙ、Ｋを取得し（ステップＳ３）、校正データとしてプリンタ２０へ信号出力する。
【００４１】
そして、プリンタ２０にて、校正データに基づいて印刷用紙等への印刷（模擬出力）を行ない（ステップＳ５）、処理を終了する。なお、プリンタ２０にて模擬出力される印刷物は、印刷用紙等の紙に限らず、フィルム等であってもよい。
【００４２】
例えば、ステップＳ２で変換されたプロセスカラーに対応する色の信号値（Ｃｐ、Ｍｐ、Ｙｐ、Ｋｐ）が（７０％、３０％、４０％、１０％）であり、特色Ａに対応する色の信号値（Ｃｓ、Ｍｓ、Ｙｓ、Ｋｓ）が（３０％、９０％、６０％、０％）である画素Ｉの場合、上述した式（１）〜（４）を用いて、
信号値（Ｃ、Ｍ、Ｙ、Ｋ）＝（７９％、９３％、７６％、１０％）
が取得される。
【００４３】
また、特色Ａに対応する色の信号値（Ｃｓ、Ｍｓ、Ｙｓ、Ｋｓ）が（３０％、９０％、６０％、０％）である、すなわち、信号値Ｙｓのみが画素Ｉと相違し、その他の信号値Ｃｓ、Ｍｓ及びＫｓが画素Ｉと同一である画素ＩＩの場合、上述した式（１）〜（４）を用いて、
信号値（Ｃ、Ｍ、Ｙ、Ｋ）＝（７９％、９３％、９６％、１０％）
が取得される。
【００４４】
この画素Ｉと画素ＩＩのように、特色Ａに対応する色の信号値（Ｃｓ、Ｍｓ、Ｙｓ、Ｋｓ）のうち、信号値Ｙｓのみが異なる場合でも、その色の違いを良好に再現することができる。
【００４５】
従って、プロセスカラーと特色を刷り重ねる場合や、２色以上の特色を刷り重ねる場合に、たとえ特色の隠蔽度が小さい（透過度が高い）場合であっても、階調がつぶれることなく、印刷本機による色再現の階調を良好に表現することができる。
【００４６】
実施例２
次に、特色Ａと特色Ｂの２色を刷り重ねて印刷する印刷本機の色再現を、プリンタ２０にて模擬出力する際の色変換処理について、図７のフローチャートを用いて説明する。
【００４７】
先ず、印刷本機の画素データを取得する（ステップＳ１１）。具体的には、記憶部１１に記憶された印刷本機の分版データから、特色Ａの値Ｖ（Ａ）、特色Ｂの値Ｖ（Ｂ）を取得する。
【００４８】
そして、特色Ａと特色Ｂに対して特色演算処理を行ない、特色Ａの値Ｖ（Ａ）、特色Ｂの値Ｖ（Ｂ）を、夫々、特色Ａ、特色Ｂに対応する色であって、プリンタ２０で再現可能な信号値（Ｃｓ（Ａ）、Ｍｓ（Ａ）、Ｙｓ（Ａ）、Ｋｓ（Ａ））、（Ｃｓ（Ｂ）、Ｍｓ（Ｂ）、Ｙｓ（Ｂ）、Ｋｓ（Ｂ））に変換する（ステップＳ１２）。
【００４９】
続いて、変換後の信号値（Ｃｓ（Ａ）、Ｍｓ（Ａ）、Ｙｓ（Ａ）、Ｋｓ（Ａ））、（Ｃｓ（Ｂ）、Ｍｓ（Ｂ）、Ｙｓ（Ｂ）、Ｋｓ（Ｂ））を用いて、上述した式（５）〜（８）を満たす信号値Ｃ、Ｍ、Ｙ、Ｋを取得し（ステップＳ１３）、校正データとしてプリンタ２０へ信号出力する。
【００５０】
そして、プリンタ２０にて、校正データに基づいて印刷用紙等への印刷（模擬出力）を行ない（ステップＳ１４）、処理を終了する。
【００５１】
実施例３
次に、特色Ａと特色Ｂとプロセスカラーの３色を刷り重ねて印刷する印刷本機の色再現を、プリンタ２０にて模擬出力する際の色変換処理について、図８のフローチャートを用いて説明する。
【００５２】
先ず、印刷本機の画素データを取得する（ステップＳ２２）。具体的には、記憶部１１に記憶された印刷本機の分版データから、特色Ａの値Ｖ（Ａ）、特色Ｂの値Ｖ（Ｂ）、プロセスカラーであるＣ版、Ｍ版、Ｙ版、Ｋ版の各ＣＭＹＫ値（Ｃｆ、Ｍｆ、Ｙｆ、Ｋｆ）を取得する。
【００５３】
そして、実施例１及び２と同様に、特色Ａ、特色Ｂ及びプロセスカラーを、プリンタ２０で再現可能な信号値に変換する（ステップＳ２２）。
【００５４】
続いて、変換後の信号値（Ｃｓ（Ａ）、Ｍｓ（Ａ）、Ｙｓ（Ａ）、Ｋｓ（Ａ））、（Ｃｓ（Ｂ）、Ｍｓ（Ｂ）、Ｙｓ（Ｂ）、Ｋｓ（Ｂ））、（Ｃｐ、Ｍｐ、Ｙｐ、Ｋｐ）を用いて、信号値Ｃ、Ｍ、Ｙ、Ｋを取得する（ステップＳ２３）。印刷本機の第１の色を特色Ａとし、第２の色を特色Ｂとし、第３の色をプロセスカラーとすると、上述した式（９）〜（１２）を用いて、以下の如く信号値Ｃ、Ｍ、Ｙ、Ｋを取得することができる。
【００５５】
Ｃ＝１−（１−Ｃ１）×（１−Ｃ２）×・・・×（１−Ｃｎ）
＝１−（１−Ｃｓ（Ａ））×（１−Ｃｓ（Ｂ））×（１−Ｃｐ））
Ｍ＝１−（１−Ｍ１）×（１−Ｍ２）×・・・×（１−Ｍｎ）
＝１−（１−Ｍｓ（Ａ））×（１−Ｍｓ（Ｂ））×（１−Ｍｐ））
Ｙ＝１−（１−Ｙ１）×（１−Ｙ２）×・・・×（１−Ｙｎ）
＝１−（１−Ｙｓ（Ａ））×（１−Ｙｓ（Ｂ））×（１−Ｙｐ））
Ｋ＝１−（１−Ｋ１）×（１−Ｋ２）×・・・×（１−Ｋｎ）
＝１−（１−Ｋｓ（Ａ））×（１−Ｋｓ（Ｂ））×（１−Ｋｐ））
そして、取得した信号値Ｃ、Ｍ、Ｙ、Ｋを校正データとしてプリンタ２０へ信号出力し、プリンタ２０にて、校正データに基づいて印刷用紙等への印刷（模擬出力）を行ない（ステップＳ２４）、処理を終了する。
【００５６】
以上説明したように、本実施形態によれば、特色を含む２色以上を刷り重ねて印刷する印刷本機による色再現の階調を、プリンタ２０を用いてより良好に表現することができる色変換方法を実現することができる。
【００５７】
＜変形形態＞
上述した実施形態では、特色版を含む分版データに係る各色を、プリンタ２０で再現可能な信号値（Ｃｐ、Ｍｐ、Ｙｐ、Ｋｐ）や（Ｃｓ、Ｍｓ、Ｙｓ、Ｋｓ）等に変換した後に、当該信号値を用いて、上述した各式により信号値Ｃ、Ｍ、Ｙ、Ｋを取得するよう構成したが、特色版を含む分版データに係る各色の信号値を用いて、上述した各式に基づいて模擬出力するための信号値として取得し、当該信号値を、プリンタ２０で再現可能な信号値に変換し、変換後の信号値を校正データとしてプリンタ２０により模擬出力するよう構成してもよい。
【００５８】
図９に、変形形態にかかる色変換処理を示すフローチャートを示す。プロセスカラーと特色Ａの２色の分版データからなる製版データの色変換を行なう場合の例である。
【００５９】
先ず、印刷本機の画素データを取得する（ステップＳ３１）。具体的には、記憶部１１に記憶された印刷本機の分版データから、プロセスカラーであるＣ版、Ｍ版、Ｙ版、Ｋ版の各ＣＭＹＫ値（Ｃｆ、Ｍｆ、Ｙｆ、Ｋｆ）と、特色Ａの値Ｖ（スカラー）を取得する。
【００６０】
次に、特色Ａ（スカラー）について、特色演算処理を行ない、対応する４色信号値（ベクトル）に変換した値（Ｃｓ、Ｍｓ、Ｙｓ、Ｋｓ）を取得する（ステップＳ３２）。
【００６１】
そして、プロセスカラーの各版の値（Ｃｆ、Ｍｆ、Ｙｆ、Ｋｆ）及びステップＳ３２で取得した（Ｃｓ、Ｍｓ、Ｙｓ、Ｋｓ）を用いて、上述した式（１）〜（４）に基づいて信号値ＣＭＹＫを取得する（ステップＳ３３）。
【００６２】
続いて、取得した信号値ＣＭＹＫを、図３（Ａ）（Ｂ）の各プロファイルを参照して、プリンタ２０で再現可能な信号値に変換し（ステップＳ３４）、変換後の信号値を、校正データとしてプリンタ２０へ信号出力する。
【００６３】
そして、プリンタ２０にて、校正データに基づいて印刷用紙等への印刷（模擬出力）を行ない（ステップＳ３５）、処理を終了する。
【００６４】
上述した変形形態であっても、特色を含む２色以上を刷り重ねて印刷する印刷本機による色再現の階調を、プリンタ２０を用いてより良好に表現することができる色変換方法を実現することができる。
【図面の簡単な説明】
【００６５】
【図１】本実施形態にかかるコンピュータ１とプリンタ２０の外観構成図である。
【図２】本実施形態にかかるコンピュータ１の概略構成例を示すブロック図である。
【図３】（Ａ）印刷本機のプロファイルである。（Ｂ）プリンタ２０のプロファイルである。
【図４】印刷本機とプリンタ２０のデバイスリンクプロファイルである。
【図５】信号値ＣｐとＣｓを用いて取得される信号値Ｃを、模式的に表現した図である。
【図６】実施例１に係る色変換処理を示すフローチャートである。
【図７】実施例２に係る色変換処理を示すフローチャートである。
【図８】実施例３に係る色変換処理を示すフローチャートである。
【図９】変形形態に係る色変換処理を示すフローチャートである。
【符号の説明】
【００６６】
１  コンピュータ
１１  記憶部
１２  表示部
１３  外部機器接続部
１４  入力部
１５  演算制御部
１６  バス
２０  プリンタ
【図１】
2007311991.tif 000003
【図２】
2007311991.tif 000004
【図３】
2007311991.tif 000005
【図４】
2007311991.tif 000006
【図５】
2007311991.tif 000007
【図６】
2007311991.tif 000008
【図７】
2007311991.tif 000009
【図８】
2007311991.tif 000010
【図９】
2007311991.tif 000011